(57)【要約】【課題】安価な構成で導光体の輝度ムラを抑制することができる「照光装置」を提供する。【解決手段】照光装置は、貫通孔３ｂが設けられたベース部材３と、貫通孔３ｂを塞ぐようにベース部材３の前面側に配置された導光体４と、導光体４の背後の配線基板５上に実装されたＬＥＤ８とを備えており、貫通孔３ｂの周囲に形成された設置部３ｃに貫通孔３ｂを横切るように光学シート７を配置すると共に、この光学シート７を導光体４によって設置部３ｃに圧接させてあるため、ＬＥＤ８からの距離の違いに起因する導光体４の輝度ムラを光学シート７によって抑制することができると共に、光学シート７および導光体４のガタツキを防止することができる。【選択図】図４
2014126579.tif 000002
【特許請求の範囲】
【請求項１】
貫通孔を有するベース部材と、前記貫通孔を塞ぐように前記ベース部材の前面側に配置された導光体と、この導光体の背後に設けられた光源とを備え、前記光源から発せられた光が前記貫通孔に重なる前記導光体を通過して外部に照射される照光装置において、
前記貫通孔の周囲に形成された設置部に該貫通孔を横切るように光学シートを配置し、この光学シートを前記導光体によって前記設置部に圧接させたことを特徴とする照光装置。
【請求項２】
請求項１の記載において、前記光学シートの長手方向の少なくとも一端部に幅広部が形成されており、この幅広部が前記設置部に形成した溝部に掛止めされていることを特徴とする照光装置。
【請求項３】
請求項１または２の記載において、前記導光体が、前記設置部に搭載される平板部と、この平板部から前方へ突出して前記貫通孔に重なる照光部と、前記平板部から後方へ突出して前記ベース部材に係止されるフック片とを有していることを特徴とする照光装置。
【発明の詳細な説明】
【技術分野】
【０００１】
本発明は、ベース部材に保持された導光体を光源からの光によって照光する照光装置に関するものである。
【背景技術】
【０００２】
車載用ディスプレイやディスクプレーヤ等の各種機器においては、所定の操作部材や特定部位を光源の光によって照光させることにより、照光箇所をインジケータ等として機能させるようにした照光装置が広く採用されている。この種の照光装置は、貫通孔を有するベース部材と、貫通孔を塞ぐようにベース部材に保持された導光体と、導光体の背後に配設された光源とを備えており、光源から発せられた光が貫通孔に重なる導光体を通過して外部に照射されるようになっている。
【０００３】
このような構成の照光装置において、ＬＥＤ等からなる光源は配線基板に実装されているが、配線基板や周辺部材の部品レイアウト上の制約等により、光源から導光体までの距離を十分に確保できなかったり、光源を導光体の真後ろに配置できないことがある。その場合、光源からの距離の違いによって導光体の照光面に輝度ムラが発生してしまうため、従来より、導光体の肉厚を光源からの距離に応じて変化させることにより、導光体の照光面の輝度ムラを改善するという技術が提案されている（例えば、特許文献１参照）。
【先行技術文献】
【特許文献】
【０００４】
【特許文献１】実開平６−２８９５０号公報
【発明の概要】
【発明が解決しようとする課題】
【０００５】
しかしながら、特許文献１に開示された従来技術では、樹脂成形品からなる導光体の肉厚を調整することで輝度ムラを改善するようにしているため、導光体の全体形状が変わる度に新たな金型を製造しなければならず、また、導光体の全体形状によっては複雑な金型構造を採用する必要があり、それに伴って照光装置全体の製造コストが高騰するという問題があった。
【０００６】
本発明は、このような従来技術の実情に鑑みてなされたもので、その目的は、安価な構成で導光体の輝度ムラを抑制することができる照光装置を提供することにある。
【課題を解決するための手段】
【０００７】
上記の目的を達成するために、本発明は、貫通孔を有するベース部材と、前記貫通孔を塞ぐように前記ベース部材の前面側に配置された導光体と、この導光体の背後に設けられた光源とを備え、前記光源から発せられた光が前記貫通孔に重なる前記導光体を通過して外部に照射される照光装置において、前記貫通孔の周囲に形成された設置部に該貫通孔を横切るように光学シートを配置し、この光学シートを前記導光体によって前記設置部に圧接させるようにした。
【０００８】
このように構成された照光装置では、光源から導光体に向かう光の一部が光学シートによって調光（遮光または拡散）されるため、光源からの距離の違いに起因する導光体の輝度ムラを抑制することができる。また、光学シートが導光体によりベース部材の設置部に圧縮されているため、設置部に対する光学シートのガタツキが防止されると共に、光学シートの反発力によって導光体のガタツキも防止することができる。
【０００９】
上記の構成において、光学シートの長手方向の少なくとも一端部に幅広部が形成されており、この幅広部がベース部材の設置部に形成した溝部に掛止めされていると、光学シートを設置部の所定位置に簡単かつ確実に配置することができて好ましい。
【００１０】
また、上記の構成において、導光体が、設置部に搭載される平板部と、この平板部から前方へ突出して貫通孔に重なる照光部と、平板部から後方へ突出してベース部材に係止されるフック片とを有していると、導光体をベース部材に簡単かつ確実に取り付けることができて好ましい。
【発明の効果】
【００１１】
本発明の照光装置では、光源から導光体に向かう光の光路中に調光機能を持つ光学シートが配置されており、この光学シートが導光体によってベース部材の設置部に圧接されているため、光源からの距離の違いに起因する導光体の輝度ムラを抑制することができると共に、光学シートおよび導光体をガタツキなく取り付けることができる。
【図面の簡単な説明】
【００１２】
【図１】実施形態例に係る照光装置が適用された車載用ディスプレイ装置の正面図である。
【図２】該ディスプレイ装置の要部を示す分解斜視図である。
【図３】図１のＡ部詳細図である。
【図４】図３のIV−IV線に沿う断面図である。
【図５】図３のＶ−Ｖ線に沿う断面図である。
【図６】照光装置に備えられる導光体の斜視図である。
【図７】照光装置の組立手順を示す説明図である。
【発明を実施するための形態】
【００１３】
発明の実施の形態について図面を参照して説明すると、図１と図２に示すように、車載用ディスプレイ装置１は、矩形状の開口２ａを有するパネル本体２と、パネル本体２の背面に取り付けられたベース部材３と、ベース部材３の前面に保持された導光体４と、ベース部材３の背面を覆うようにパネル本体２に取り付けられた配線基板５等を備えており、パネル本体２の前面両側部には開口２ａを挟んで複数の操作釦６が配設されている。
【００１４】
パネル本体２の背面側には図示せぬ液晶ディスプレイが配設されており、この液晶ディスプレイの表示面は開口２ａ内に露出している。また、パネル本体２の後方には図示せぬディスクプレーヤが配設されており、このディスクプレーヤに対してディスクを挿入／排出するためのディスク挿入口２ｂがパネル本体２の前面上部に開設されている。ディスク挿入口２ｂは開口２ａの上辺に沿ってスリット状に延びており、このディスク挿入口２ｂの左右両端部から後述する導光体４の照光部４ｂが露出している。
【００１５】
ベース部材３は遮光性樹脂からなる横長形状の成形品であり、図３〜図７に示すように、このベース部材３には、パネル本体２のディスク挿入口２ｂに重なる長孔３ａと、長孔３ａの左右両側に位置する一対の貫通孔３ｂとが開設されている。貫通孔３ｂの周囲は平坦状の設置部３ｃとなっており、この設置部３ｃには３つの取付孔３ｄが形成されている。また、設置部３ｃには貫通孔３ｂを挟んで上下にそれぞれ溝部３ｅが形成されており、この溝部３ｅに後述する光学シート７の幅広部７ａが掛止めされるようになっている。さらに、ベース部材３の左右両端部には後端を開口する一対の筒状部３ｆが形成されており、これら筒状部３ｆの前端側の壁面に貫通孔３ｂと各取付孔３ｄが開設されている。
【００１６】
導光体４は透明樹脂からなる成形品であり、この導光体４にはスモークと呼ばれる半透明な灰色の着色が施されている。図６に示すように、導光体４は、平板部４ａと、平板部４ａから前方へ突出する照光部４ｂと、平板部４ａから後方へ突出するガイドピン４ｃと、同じく平板部４ａから後方へ突出する一対のフック片４ｄとを有している。平板部４ａは光学シート７を介してベース部材３の設置部３ｃに搭載されており、照光部４ｂは貫通孔３ｂと重なる位置から前方へ突出してディスク挿入口２ｂの端部に挿入されている。また、ガイドピン４ｃとフック片４ｄはベース部材３の対応する取付孔３ｄに挿入されており、そのうち両フック片４ｄが筒状部３ｆの内壁にスナップ止めされることにより、導光体４はベース部材３の設置部３ｃに保持されている。
【００１７】
光学シート７はＰＥＴ（ポリエチレンテレフタレート）等の可撓性を有する樹脂フィルムからなる細長形状のシート体であり、この光学シート７の長手方向の両端部には幅広部７ａが形成されている。光学シート７は透過光の一部を遮断したり拡散する調光機能を持っており、本実施形態例の場合、遮光機能を持つ黒色の光学シート７が使用されているが、樹脂フィルムにブラスト加工等が施された拡散機能を持つ光学シート７を使用しても良い。光学シート７は導光体４の平板部４ａと設置部３ｃとの間に介設されるようになっており、この組立手順を簡単に説明すると、まず、図７（ａ）と図７（ｂ）に示すように、光学シート７の幅広部７ａをベース部材３の溝部３ｅに掛止めする。これにより、光学シート７が設置部３ｃに対して位置決めされた状態となり、光学シート７は貫通孔３ｂを跨ぐように設置部３ｃに搭載される。この状態で、ガイドピン４ｃとフック片４ｄをベース部材３の対応する取付孔３ｄに挿入し、フック片４ｄを筒状部３ｆの内壁にスナップ結合すると、図７（ｃ）に示すように、導光体４がベース部材３の設置部３ｃに取り付けられる。その結果、光学シート７が導光体４の平板部４ａによりベース部材３の設置部３ｃに圧接された状態で、この光学シート７が平板部４ａと設置部３ｃとの間に挟持されるため、設置部３ｃに対する光学シート７のガタツキが防止されると共に、光学シート７の反発力によって導光体４のガタツキが防止される。
【００１８】
配線基板５上には光源である一対のＬＥＤ８が実装されており、これらＬＥＤ８はベース部材３の対応する筒状部３ｆの後端開口内に位置している。ＬＥＤ８から発せられた光は、筒状部３ｆの内部空間を通って貫通孔３ｂと重なる導光体４の照光部４ｂに達した後、この照光部４ｂを透過してパネル本体２の前方へ出射される。その際、貫通孔３ｂを跨ぐように光学シート７が配置されているため、ＬＥＤ８から照光部４ｂに向かう光の一部が光学シート７によって調光（遮光または拡散）され、ＬＥＤ８からの距離の違いに起因する導光体４の輝度ムラを抑制することができる。
【００１９】
以上説明したように、本実施形態例に係る照光装置は、貫通孔３ｂが設けられたベース部材３と、貫通孔３ｂを塞ぐようにベース部材３の前面側に配置された導光体４と、導光体４の背後の配線基板５上に実装されたＬＥＤ（光源）８とを備え、設置部３ｃに貫通孔３ｂを横切るように光学シート７が配置されているため、ＬＥＤ８から導光体４に向かう光の一部を光学シート７によって調光（遮光または拡散）することができる。したがって、ＬＥＤ８から導光体４までの距離を十分に確保できなかったり、ＬＥＤ８を導光体４の真後ろに配置できない場合でも、光学シート７を追加するだけで導光体４の輝度ムラを抑制することができ、導光体４の金型費を含む製造コストを低減することができる。しかも、導光体４をベース部材３に取り付けたとき、光学シート７が導光体４によってベース部材３の設置部３ｃに圧接されるため、設置部３ｃに対する光学シート７のガタツキが防止されると共に、光学シート７の反発力によって導光体４のガタツキが防止され、光学シート７に調光機能とガタ防止機能という２つの機能を持たせることができる。
【００２０】
また、本実施形態例では、光学シート７の長手方向の端部に幅広部７ａを形成し、この幅広部７ａをベース部材３の設置部３ｃに形成した溝部３ｅに掛止めしたので、照光装置の組立時に光学シート７を設置部３ｃの所定位置に簡単かつ確実に配置することができると共に、設置後の外部振動等によって光学シート７が位置ズレすることを防止できる。
【００２１】
また、本実施形態例では、導光体４が、設置部３ｃに搭載される平板部４ａと、この平板部４ａから前方へ突出して貫通孔３ｂに重なる照光部４ｂと、平板部４ａから後方へ突出してベース部材３に係止されるフック片４ｄとを一体成形した樹脂成形品であるため、導光体４をベース部材３の所定位置に簡単かつ確実に取り付けることができる。
【００２２】
なお、上記実施形態例では、本発明の照光装置をディスクプレーヤのディスク挿入口２ｂのインジケータとして用いた場合について説明したが、それ以外の機器の動作表示部等として利用ことも可能であり、あるいは、操作釦のように可動する部材の照光部として利用することも可能である。
【符号の説明】
【００２３】
１  車載用ディスプレイ装置
２  パネル本体
２ｂ  ディスク挿入口
３  ベース部材
３ｂ  貫通孔
３ｃ  設置部
３ｄ  取付孔
３ｅ  溝部
３ｆ  筒状部
４  導光体
４ａ  平板部
４ｂ  照光部
４ｃ  ガイドピン
４ｄ  フック片
５  配線基板
７  光学シート
７ａ  幅広部
８  ＬＥＤ（光源）
【図１】
2014126579.tif 000003
【図２】
2014126579.tif 000004
【図３】
2014126579.tif 000005
【図４】
2014126579.tif 000006
【図５】
2014126579.tif 000007
【図６】
2014126579.tif 000008
【図７】
2014126579.tif 000009